(57)【要約】本発明に係る無線制御装置０３は、通信チャネル構成と少なくとも１つの閾値とを関連付けて保持するように構成されている閾値保持部１１と、移動局ＵＥの通信チャネル構成に関連付けられている少なくとも１つの閾値を抽出するように構成されている閾値抽出部１３と、所定タイミングで、抽出された閾値と通信状態とを比較することによって、移動局ＵＥの通信チャネル構成を変更するか否かについて判定するように構成されている閾値判定部１４とを具備する。
2010087441.tif 000002
【特許請求の範囲】
【請求項１】
通信チャネル構成と少なくとも１つの閾値とを関連付けて保持するように構成されている閾値保持部と、
移動局の通信チャネル構成に関連付けられている少なくとも１つの閾値を抽出するように構成されている閾値抽出部と、
所定タイミングで、抽出された前記閾値と通信状態とを比較することによって、前記移動局の通信チャネル構成を変更するか否かについて判定するように構成されている閾値判定部とを具備することを特徴とする無線制御装置。
【請求項２】
前記閾値判定部は、抽出された前記閾値とデータ流量とを比較することによって、前記移動局の通信チャネル構成を変更するか否かについて判定するように構成されていることを特徴とする請求項１に記載の無線制御装置。
【請求項３】
前記閾値判定部は、抽出された前記閾値と無線リソース使用率とを比較することによって、前記移動局の通信チャネル構成を変更するか否かについて判定するように構成されていることを特徴とする請求項１に記載の無線制御装置。
【請求項４】
前記閾値判定部は、抽出された前記閾値と既に行った判定回数とを比較することによって、前記移動局の通信チャネル構成を変更するか否かについて判定するように構成されていることを特徴とする請求項１に記載の無線制御装置。
【請求項５】
前記閾値判定部は、抽出された前記閾値とタイマ値とを比較することによって、前記移動局の通信チャネル構成を変更するか否かについて判定するように構成されていることを特徴とする請求項１に記載の無線制御装置。
【請求項６】
前記閾値抽出部は、前記移動局による通信開始時又は該移動局の通信チャネル構成の変更時に、該移動局の通信チャネル構成を変更するか否かについて判定するように構成されていることを特徴とする請求項１に記載の無線制御装置。
【請求項７】
無線制御装置が、閾値保持部から、移動局の通信チャネル構成に関連付けられている少なくとも１つの閾値を抽出する工程と、
前記無線制御装置が、所定タイミングで、抽出された前記閾値と通信状態とを比較することによって、前記移動局の通信チャネル構成を変更するか否かについて判定する工程と、
前記判定結果に応じて、前記移動局の通信チャネル構成を変更する工程とを有することを特徴とする移動通信方法。
【発明の詳細な説明】
【技術分野】
【０００１】
本発明は、無線制御装置及び移動通信方法に関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔｓ）により、符号分割多元接続（ＣＤＭＡ：Ｃｏｄｅ  Ｄｉｖｉｓｉｏｎ  Ｍｕｌｔｉｐｌｅ  Ａｃｃｅｓｓ）技術に基づいたＷ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）システム（又は、ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）と呼ばれる移動通信システムが仕様化されている。【０００３】
また、Ｗ-ＣＤＭＡシステムにおけるデータの伝送速度を高速化させるシステムが仕様化されており、下りデータの伝送速度を高速化させるシステムは、「ＨＳＤＰＡ（Ｈｉｇｈ  Ｓｐｅｅｄ  Ｄｏｗｎｌｉｎｋ  Ｐａｃｋｅｔ  Ａｃｃｅｓｓ）」と呼ばれている。【０００４】
Ｗ-ＣＤＭＡシステムでは、「ＣＥＬＬ_ＦＡＣＨ」状態や「ＣＥＬＬ_ＤＣＨ」状態と呼ばれる移動局ＵＥ（Ｕｓｅｒ  Ｅｑｕｉｐｍｅｎｔ）の通信状態が存在する。【０００５】
「ＣＥＬＬ_ＦＡＣＨ」状態は、複数の移動局ＵＥが、１つの無線チャネル（以下、ＦＡＣＨ：Ｆｏｒｗａｒｄ  Ａｃｃｅｓｓ  Ｃｈａｎｎｅｌ）を共有して通信を行う状態である。「ＣＥＬＬ_ＦＡＣＨ」状態は、あまり高速な伝送速度を必要としない場合に使用されることが多いが、「ＣＥＬＬ_ＦＡＣＨ」状態では、必要に応じて複数の移動局ＵＥが１つＦＡＣＨを使うため、無線リソースの利用効率が良い。【０００６】
「ＣＥＬＬ_ＤＣＨ」状態は、「ＣＥＬＬ_ＦＡＣＨ」状態とは異なり、１つの無線チャネル（以下、ＤＣＨ：Ｄｅｄｉｃａｔｅｄ  Ｃｈａｎｎｅｌ）を１つの移動局ＵＥが専有して通信を行う状態である。「ＣＥＬＬ_ＤＣＨ」状態では、各移動局ＵＥは、安定して比較的高速な通信を行うことができ、サービス性が高いが、各移動局ＵＥが、送信すべきデータがない場合であっても、各ＤＣＨを専有しているため、無線リソースの利用効率が良くない。【０００７】
「ＣＥＬＬ_ＤＣＨ」状態では、上りＤＣＣＨ（Ｄｅｄｉｃａｔｅｄ  Ｃｏｎｔｒｏｌ  Ｃｈａｎｎｅｌ）データ（上り制御信号データ）や、下りＤＣＣＨデータ（下り制御信号データ）や、上りＤＴＣＨ（Ｄｅｄｉｃａｔｅｄ  Ｔｒａｆｆｉｃ  Ｃｈａｎｎｅｌ）データ（上りユーザデータ、上りＵ-Ｐｌａｎｅデータ）や、下りＤＴＣＨデータ（下りユーザデータ、下りＵ-Ｐｌａｎｅデータ）は、ＤＣＨ上で送信される。【０００８】
一方、ＨＳＤＰＡでは、「ＣＥＬＬ_ＦＡＣＨ」状態と同様に、下りＤＴＣＨデータを伝送するために、共通の無線チャネル（以下、ＨＳ-ＤＳＣＨ：Ｈｉｇｈ  Ｓｐｅｅｄ-Ｄｏｗｎｌｉｎｋ  Ｓｈａｒｅｄ  Ｃｈａｎｎｅｌ）が使用されている。【０００９】
ＨＳＤＰＡでは、下位レイヤでの高速制御によって、伝搬環境の変動に高速に追従し、各移動局ＵＥの無線品質に応じて、下りデータの伝送速度を制御することで、下りデータの伝送速度を高速化させつつ、無線リソースを有効利用することが可能となる。【００１０】
また、ＨＳＤＰＡでは、上りＤＣＣＨデータや下りＤＣＣＨデータや上りＤＴＣＨデータは、ＤＣＨ（後述のＡ-ＤＰＣＨ）上で送信され、下りＤＴＣＨデータは、ＨＳ-ＤＳＣＨ上で送信される。【００１１】
ここで、上りＤＣＣＨデータや下りＤＣＣＨデータや上りＤＴＣＨデータを送信するＤＣＨは、「ＨＳ-ＤＳＣＨに付随するＤＣＨ」という意味で、「Ａ-ＤＰＣＨ（Ａｓｓｏｃｉａｔｅｄ  Ｄｅｄｉｃａｔｅｄ  Ｐｈｙｓｉｃａｌ  Ｃｈａｎｎｅｌ）」と呼ばれている。【００１２】
また、ＨＳＤＰＡでは、Ａ-ＤＰＣＨではなくＨＳ-ＤＳＣＨを用いて下りＤＣＣＨデータを送信する方法が仕様化されている。かかる方法によれば、無線リソースの利用効率の向上に資することができ、また、下りＤＣＣＨデータを高速に送信することにより、移動局ＵＥと無線制御装置との間の無線チャネルを確立する際の接続遅延時間を低減することができる。【００１３】
なお、ＨＳ-ＤＳＣＨを用いて下りＤＣＣＨデータを送信する場合、伝搬環境の変動に高速に追随するために、上り通信における送信電力を通知するデータ（送信電力制御用のパイロット信号データ、以下、ＴＰＣ（Ｔｒａｎｓｍｉｓｓｉｏｎ  Ｐｏｗｅｒ  Ｃｏｎｔｒｏｌ）ビット）のみ、別の下りチャネルを介して送信する必要がある。【００１４】
かかるＴＰＣビットのみを送信する下りチャネルは、「Ｆ-ＤＰＣＨ（Ｆｒａｃｔｉｏｎａｌ-ＤＰＣＨ）と呼ばれており、１つのＦ-ＤＰＣＨに１０個の移動局ＵＥが多重されることができ、Ｆ-ＤＰＣＨが使用される場合には、Ａ-ＤＰＣＨが使用される場合と比べて、ＣＣ（Ｃｈａｎｎｅｌｉｓａｔｉｏｎ  Ｃｏｄｅ）の利用効率が最大１０倍となる。【００１５】
また、Ｗ-ＣＤＭＡシステムでは、無線リンクの制御を行うレイヤ２機能として「ＲＬＣ（Ｒａｄｉｏ  Ｌｉｎｋ  Ｃｏｎｔｒｏｌ）機能」が規定されている。ここで、ＲＬＣ機能は、送達確認や再送制御を実施するように構成されている。【００１６】
ＲＬＣ機能によって分解された１ブロック当たりのデータサイズ（以下、ＲＬＣ-ＰＤＵサイズ）は、通常、４２オクテットであるが、８２オクテットであってもよい。ＲＬＣ-ＰＤＵサイズを８２オクテットとすることで、単位時間当たり、より多くのデータを送信することが可能となり、データの伝送速度を高速化することができる。【００１７】
ＨＳＤＰＡにおいて、更に下りデータの伝送速度を向上させるために、ＲＬＣ-ＰＤＵサイズを８２オクテットとする検討もなされた結果、Ａ-ＤＰＣＨが用いられる送信方法及びＦ-ＤＰＣＨが用いられる送信方法のどちらでも、８２オクテットのＲＬＣ-ＰＤＵサイズを用いた通信が可能となっている。なお、「ＣＥＬＬ_ＦＡＣＨ」状態や「ＣＥＬＬ_ＤＣＨ」状態では、ＲＬＣ-ＰＤＵサイズが４２オクテットでも規定の伝送速度を十分満たすことができる。【００１８】
このような移動通信システムにおいて、無線制御装置は、無線リソースの利用状況に応じて、移動局ＵＥに対して適切な通信チャネルを割り当てるチャネル切替制御を行うことが一般的である。【００１９】
例えば、無線制御装置は、移動局ＵＥに対するユーザデータの流量を観測しており、移動局ＵＥに対するユーザデータの流量が多い場合は、かかる移動局ＵＥがＤＣＨ又はＨＳ-ＤＳＣＨを用いて通信を行い、移動局ＵＥに対するユーザデータ流量が少ない場合には、かかる移動局ＵＥがＦＡＣＨを用いて通信を行うように、チャネル切替制御を行う。
【先行技術文献】
【非特許文献】
【００２０】
【非特許文献１】３ＧＰＰ  ＴＳ２５.３３１
【発明の概要】
【発明が解決しようとする課題】
【００２１】
従来の移動通信システムにおいて、Ａ-ＤＰＣＨを用いたＨＳＤＰＡ通信を行っている場合には、無線リソースの利用効率の観点から、データ流量が少ない場合等には、速やかに「ＣＥＬＬ_ＦＡＣＨ」状態に遷移することが望ましいが、Ｆ-ＤＰＣＨを用いたＨＳＤＰＡ通信を行っている場合には、無線リソースの利用効率が低くなく、ＲＬＣ-ＰＤＵサイズの変更を伴うために、できるだけ「ＣＥＬＬ_ＦＡＣＨ」状態に遷移しないことが好ましい。【００２２】
しかしながら、従来の移動通信システムでは、このような移動局ＵＥの通信チャネル構成を考慮して、チャネル切替制御を行うことについて検討されていないという問題点があった。【００２３】
そこで、本発明は、上述の課題に鑑みてなされたものであり、移動局の通信チャネル構成と無線リソースの利用効率とサービス性とを考慮して柔軟なチャネル切替制御を行うことができる無線制御装置及び移動通信方法を提供することを目的とする。
【課題を解決するための手段】
【００２４】
本発明の第１の特徴は、無線制御装置であって、通信チャネル構成と少なくとも１つの閾値とを関連付けて保持するように構成されている閾値保持部と、移動局の通信チャネル構成に関連付けられている少なくとも１つの閾値を抽出するように構成されている閾値抽出部と、所定タイミングで、抽出された前記閾値と通信状態とを比較することによって、前記移動局の通信チャネル構成を変更するか否かについて判定するように構成されている閾値判定部とを具備することを要旨とする。【００２５】
本発明の第２の特徴は、移動通信方法であって、無線制御装置が、閾値保持部から、移動局の通信チャネル構成に関連付けられている少なくとも１つの閾値を抽出する工程と、前記無線制御装置が、所定タイミングで、抽出された前記閾値と通信状態とを比較することによって、前記移動局の通信チャネル構成を変更するか否かについて判定する工程と、前記判定結果に応じて、前記移動局の通信チャネル構成を変更する工程とを有することを要旨とする。
【発明の効果】
【００２６】
以上説明したように、本発明によれば、移動局の通信チャネル構成と無線リソースの利用効率とサービス性とを考慮して柔軟なチャネル切替制御を行うことができる無線制御装置及び移動通信方法を提供することができる。
【図面の簡単な説明】
【００２７】
【図１】図１は、本発明の第１の実施形態に係る移動通信システムの全体構成図である。
【図２】図２は、本発明の第１の実施形態に係る無線制御装置の機能ブロック図である。
【図３】図３は、本発明の第１の実施形態に係る無線制御装置の閾値保持部の保持内容の一例を示す図である。
【図４】図４は、本発明の第１の実施形態に係る移動通信システムの動作を示すフローチャートである。
【図５】図５は、本発明の第１の実施形態に係る移動通信システムの動作を示すフローチャートである。
【図６】図６は、本発明の第１の実施形態に係る移動通信システムの動作を示すフローチャートである。
【図７】図７は、本発明の変更例１に係る無線制御装置の閾値保持部の保持内容の一例を示す図である。
【発明を実施するための形態】
【００２８】
（本発明の第１の実施形態に係る移動通信システムの構成）
図１乃至図３を参照して、本発明の第１の実施形態に係る移動通信システムの構成について説明する。
【００２９】
図１に示すように、本実施形態に係る移動通信システムは、無線通信機能を備えた移動局０２と、移動局０２との無線通信機能を備えた無線基地局０１と、無線基地局と接続され無線制御動作を行う無線制御装置０３とを具備し、これら装置によって移動通信サービスを実現している。
【００３０】
なお、本実施形態に係る移動通信システムには、複数の無線基地局や無線制御装置や階層化された複数の交換局が含まれ、また、加入者情報を蓄積するホームメモリ（ＨＬＲ：Ｈｏｍｅ  Ｌｏｃａｔｉｏｎ  Ｒｅｓｉｓｔｅｒ）等の装置が含まれることが一般的であるが、本明細書では記載を省略する。
【００３１】
なお、かかる移動通信システムによって提供されているサービスエリアでは、ＨＳＰＤＡ通信が可能であり、Ａ-ＤＰＣＨを用いたＨＳＤＰＡ通信及びＦ-ＤＰＣＨを用いたＨＳＤＰＡ通信の両方が可能であり、４２オクテットのＲＬＣ‐ＰＤＵサイズを用いたＨＳＤＰＡ通信及び８２オクテットのＲＬＣ‐ＰＤＵサイズを用いたＨＳＤＰＡ通信が可能である。
【００３２】
かかる移動通信システムでは、移動局ＵＥの通信開始時に、Ａ-ＤＰＣＨを用いたＨＳＤＰＡ通信又はＦ-ＤＰＣＨを用いたＨＳＤＰＡ通信のいずれかを設定し、その後、Ａ-ＤＰＣＨを用いたＨＳＤＰＡ通信とＦ-ＤＰＣＨを用いたＨＳＤＰＡ通信との切替を不可能としてもよい。
【００３３】
また、かかる移動通信システムでは、移動局ＵＥの通信開始時に、Ａ-ＤＰＣＨを用いたＨＳＤＰＡ通信又はＦ-ＤＰＣＨを用いたＨＳＤＰＡ通信のいずれかを設定し、その後、Ａ-ＤＰＣＨを用いたＨＳＤＰＡ通信とＦ-ＤＰＣＨを用いたＨＳＤＰＡ通信との切替を可能としてもよい。
【００３４】
また、かかる移動通信システムでは、Ａ-ＤＰＣＨを用いたＨＳＤＰＡ通信又はＦ-ＤＰＣＨを用いたＨＳＤＰＡ通信のいずれかの能力しか持っていない移動局ＵＥに対しては、移動局ＵＥの能力に見合ったＨＳＤＰＡ通信を提供する。
【００３５】
さらに、かかる移動通信システムでは、移動局ＵＥの通信開始時に、４２オクテットのＲＬＣ‐ＰＤＵサイズを用いたＨＳＤＰＡ通信又は８２オクテットのＲＬＣ‐ＰＤＵサイズを用いたＨＳＤＰＡ通信のいずれかを設定し、その後、４２オクテットのＲＬＣ‐ＰＤＵサイズを用いたＨＳＤＰＡ通信と８２オクテットのＲＬＣ‐ＰＤＵサイズを用いたＨＳＤＰＡ通信との切替を不可能としてもよい。
【００３６】
また、かかる移動通信システムでは、移動局ＵＥの通信開始時に、４２オクテットのＲＬＣ‐ＰＤＵサイズを用いたＨＳＤＰＡ通信又は８２オクテットのＲＬＣ‐ＰＤＵサイズを用いたＨＳＤＰＡ通信のいずれかを設定し、その後、４２オクテットのＲＬＣ‐ＰＤＵサイズを用いたＨＳＤＰＡ通信と８２オクテットのＲＬＣ‐ＰＤＵサイズを用いたＨＳＤＰＡ通信との切替を可能としてもよい。
【００３７】
また、かかる移動通信システムでは、４２オクテットのＲＬＣ‐ＰＤＵサイズを用いたＨＳＤＰＡ通信又は８２オクテットのＲＬＣ‐ＰＤＵサイズを用いたＨＳＤＰＡ通信のいずれかの能力しか持っていない移動局ＵＥに対しては、移動局ＵＥの能力に見合ったＨＳＤＰＡ通信を提供する。
【００３８】
さらに、かかる移動通信システムでは、移動局ＵＥは、「ＣＥＬＬ_ＦＡＣＨ」状態及び「ＣＥＬＬ_ＤＣＨ」状態で通信を行うことが可能であり、「ＣＥＬＬ_ＦＡＣＨ」状態及び「ＣＥＬＬ_ＤＣＨ」状態での通信中のＲＬＣ‐ＰＤＵサイズは４２オクテットである。
【００３９】
図２に示すように、本実施形態に係る無線制御装置０３は、閾値保持部１１と、通信チャネル構成保持部１２と、閾値抽出部１３と、閾値判定部１４と、通信チャネル構成切替部１５とを具備している。
【００４０】
なお、本実施形態に係る無線制御装置０３の機能は、Ｗ-ＣＤＭＡシステムにおける無線回線制御局ＲＮＣ（Ｒａｄｉｏ  Ｎｅｔｗｏｒｋ  Ｃｏｎｔｒｏｌｌｅｒ）内に設けられていてもよいし、フェムト無線基地局である複数の無線基地局０１を収容するゲートウェイ装置内に設けられていてもよいし、ＬＴＥ（Ｌｏｎｇ  Ｔｅｒｍ  Ｅｖｏｌｕｔｉｏｎ）方式の移動通信システムにおける無線基地局ｅＮＢ内に設けられていもよい。
【００４１】
閾値保持部１１は、通信チャネル構成と少なくとも１つの閾値とを関連付けて保持するように構成されている。
【００４２】
本実施形態では、図３に示すように、閾値保持部１１は、「通信チャネル構成」と「閾値１」とを関連付けるテーブルを保持するように構成されている。
【００４３】
ここで、「通信チャネル構成」には、通信チャネル構成を特定する識別子が設定可能である。図３の例では、８２オクテットのＲＬＣ‐ＰＤＵサイズ及びＡ-ＤＰＣＨを用いたＨＳＤＰＡ通信を行うための通信チャネル構成の識別子が「１」であり、８２オクテットのＲＬＣ‐ＰＤＵサイズ及びＦ-ＤＰＣＨを用いたＨＳＤＰＡ通信を行うための通信チャネル構成の識別子が「２」であり、４２オクテットのＲＬＣ‐ＰＤＵサイズ及びＡ-ＤＰＣＨを用いたＨＳＤＰＡ通信を行うための通信チャネル構成の識別子が「３」であり、４２オクテットのＲＬＣ‐ＰＤＵサイズ及びＦ-ＤＰＣＨを用いたＨＳＤＰＡ通信を行うための通信チャネル構成の識別子が「４」であり、「ＣＥＬＬ_ＤＣＨ」状態の通信を行うための通信チャネル構成の識別子が「５」である。
【００４４】
また、「閾値１」は、無線制御装置０３におけるデータ流量が設定可能である。ここで、データ流量は、無線制御装置０３が送受信するデータブロック数であってもよいし、或いは、無線制御装置０３が単位時間当たりに送受信するデータブロック数（すなわち、送受信伝送速度）であってもよい。
【００４５】
図３の例では、通信チャネル構成の識別子「１」〜「５」のそれぞれに対応して、閾値「１-Ａ」〜「１-Ｅ」が保持されている。
【００４６】
また、閾値保持部１１の保持内容は、外部インターフェイスを介して外部から変更可能である。
【００４７】
通信チャネル構成保持部１２は、通信中の各移動局ＵＥの通信チャネル構成に係る情報を保持するように構成されている。通信チャネル構成保持部１２は、各移動局ＵＥの通信開始時や、各移動局ＵＥにおける通信チャネル構成の変更時に、保持内容を更新するように構成されていてもよい。
【００４８】
閾値抽出部１３は、移動局ＵＥの通信チャネル構成に関連付けられている少なくとも１つの閾値を抽出し、閾値判定部１４に渡すように構成されている。本実施形態では、閾値抽出部１３は、移動局ＵＥの通信チャネル構成に関連付けられている閾値１を抽出し、閾値判定部１４に渡すように構成されている。
【００４９】
閾値判定部１４は、所定タイミングで、閾値抽出部１３によって抽出された閾値１と通信状態とを比較することによって、移動局ＵＥの通信チャネル構成を変更するか否かについて判定するように構成されている。
【００５０】
ここで、通信状態としては、上述のデータ流量や、無線リソース利用率（ＣＣ使用率等）や、閾値判定部１４によって既に行われた判定回数や、閾値判定部１４によって判定が行われる際等にリセットされるタイマ値等が想定され得る。
【００５１】
本実施形態では、閾値判定部１４は、閾値抽出部１３によって抽出された閾値１とデータ流量とを比較することによって、移動局ＵＥの通信チャネル構成を変更するか否かについて判定するように構成されていてもよい。
【００５２】
具体的には、移動局ＵＥが、ＨＳＤＰＡ通信又は「ＣＥＬＬ_ＤＣＨ」状態の通信を行っている場合に、データ流量が、閾値抽出部１３によって抽出された閾値１を下回っている場合には、閾値判定部１４は、移動局ＵＥの通信チャネル構成を「ＣＥＬＬ_ＦＡＣＨ」状態の通信を行うための通信チャネル構成に変更すべきである、すなわち、移動局ＵＥの通信状態を「ＣＥＬＬ_ＦＡＣＨ」状態に変更すべきであると判定するように構成されている。
【００５３】
一方、移動局ＵＥが、ＨＳＤＰＡ通信又は「ＣＥＬＬ_ＤＣＨ」状態の通信を行っている場合に、データ流量が、閾値抽出部１３によって抽出された閾値１を下回っていない場合には、閾値判定部１４は、移動局ＵＥの通信チャネル構成を「ＣＥＬＬ_ＦＡＣＨ」状態の通信を行うための通信チャネル構成に変更すべきでない、すなわち、移動局ＵＥの通信状態を「ＣＥＬＬ_ＦＡＣＨ」状態に変更すべきでないと判定するように構成されている。
【００５４】
ここで、閾値判定部１４は、移動局ＵＥによる通信開始時又は移動局ＵＥの通信チャネル構成の変更時に、上述のように、移動局ＵＥの通信チャネル構成を変更するか否かについて判定するように構成されていてもよい。
【００５５】
通信チャネル構成切替部１５は、閾値判定部１４による判定結果に応じて、各移動局ＵＥの通信チャネル構成を切り替えるように構成されている。
【００５６】
（本発明の第１の実施形態に係る移動通信システムの動作）
図４乃至図７を参照して、本発明の第１の実施形態に係る移動通信システムの動作について説明する。
【００５７】
図４に示すように、ステップＳ１１において、無線制御装置０３内に、通信チャネル構成と少なくとも１つの閾値とを関連付けて保持するように設定する。
【００５８】
ステップＳ１２において、移動局ＵＥが、通信を開始する際に、ステップＳ１３において、無線制御装置０３が、移動局ＵＥの通信チャネル構成を記憶する。ここで、移動局ＵＥの通信状態は、「ＣＥＬＬ_ＦＡＣＨ」状態でないものとする。
【００５９】
ステップＳ１４において、無線制御装置０３が、移動局ＵＥの通信チャネル構成に関連付けられている閾値を抽出する。
【００６０】
例えば、図５に示すように、無線制御装置０３は、移動局ＵＥの通信チャネル構成が、８２オクテットのＲＬＣ‐ＰＤＵサイズ及びＡ-ＤＰＣＨを用いたＨＳＤＰＡ通信を行うための通信チャネル構成である場合（ステップＳ１０１において「ＹＥＳ」であり、ステップＳ１０４において「ＹＥＳ」であり、ステップＳ１０５において「ＹＥＳ」である場合）、通信チャネル構成の識別子「１」に対応する閾値「１-Ａ」を抽出する。
【００６１】
また、無線制御装置０３は、移動局ＵＥの通信チャネル構成が、８２オクテットのＲＬＣ‐ＰＤＵサイズ及びＦ-ＤＰＣＨを用いたＨＳＤＰＡ通信を行うための通信チャネル構成である場合（ステップＳ１０１において「ＹＥＳ」であり、ステップＳ１０４において「ＹＥＳ」であり、ステップＳ１０５において「ＮＯ」である場合）、通信チャネル構成の識別子「２」に対応する閾値「１-Ｂ」を抽出する。
【００６２】
また、無線制御装置０３は、移動局ＵＥの通信チャネル構成が、４２オクテットのＲＬＣ‐ＰＤＵサイズ及びＡ-ＤＰＣＨを用いたＨＳＤＰＡ通信を行うための通信チャネル構成である場合（ステップＳ１０１において「ＹＥＳ」であり、ステップＳ１０４において「ＮＯ」であり、ステップＳ１１０において「ＹＥＳ」である場合）、通信チャネル構成の識別子「３」に対応する閾値「１-Ｃ」を抽出する。
【００６３】
また、無線制御装置０３は、移動局ＵＥの通信チャネル構成が、４２オクテットのＲＬＣ‐ＰＤＵサイズ及びＦ-ＤＰＣＨを用いたＨＳＤＰＡ通信を行うための通信チャネル構成である場合（ステップＳ１０１において「ＹＥＳ」であり、ステップＳ１０４において「ＮＯ」であり、ステップＳ１１０において「ＮＯ」である場合）、通信チャネル構成の識別子「４」に対応する閾値「１-Ｄ」を抽出する。
【００６４】
さらに、無線制御装置０３は、移動局ＵＥの通信チャネル構成が、「ＣＥＬＬ_ＤＣＨ」状態の通信を行うための通信チャネル構成である場合（ステップＳ１０１において「ＮＯ」である場合）、通信チャネル構成の識別子「５」に対応する閾値「１-Ｅ」を抽出する。
【００６５】
ステップＳ１５において、無線制御装置０３は、抽出した閾値と通信状態とを比較することによって、移動局ＵＥの通信チャネル構成を変更するべきか否かについて判定する。
【００６６】
例えば、図６に示すように、無線制御装置０３は、データ流量が閾値抽出部１３によって抽出された閾値１を下回っている場合（ステップＳ２００１において「ＹＥＳ」である場合）に、ステップＳ２００２において、移動局ＵＥの通信チャネル構成を「ＣＥＬＬ_ＦＡＣＨ」状態の通信を行うための通信チャネル構成に変更すべきである、すなわち、移動局ＵＥの通信状態を「ＣＥＬＬ_ＦＡＣＨ」状態に変更すべきであると判定し、図４のステップＳ１０６において、移動局ＵＥの通信チャネル構成を「ＣＥＬＬ_ＦＡＣＨ」状態の通信を行うための通信チャネル構成に変更する。
【００６７】
一方、移動局ＵＥが、ＨＳＤＰＡ通信を行っている場合に、データ流量が、閾値抽出部１３によって抽出された閾値１を下回っていない場合（ステップＳ２００１において「ＮＯ」である場合）に、ステップＳ２００３において、移動局ＵＥの通信チャネル構成を「ＣＥＬＬ_ＦＡＣＨ」状態の通信を行うための通信チャネル構成に変更すべきでない、すなわち、移動局ＵＥの通信状態を「ＣＥＬＬ_ＦＡＣＨ」状態に変更すべきでないと判定し、図４のステップＳ１０７において、現在の移動局ＵＥの通信チャネル構成を変更することなく維持する。
【００６８】
（本発明の第１の実施形態に係る移動通信システムの作用・効果）
本発明の第１の実施形態に係る移動通信システムによれば、無線制御装置０３が、通信チャネル構成ごとに異なる閾値を設定することができるので、移動局ＵＥの通信チャネル構成と無線リソースの利用効率とサービス性とを考慮して柔軟なチャネル切替制御を行うことができる。
【００６９】
例えば、移動局ＵＥが、４２オクテットのＲＬＣ‐ＰＤＵサイズ及びＡ-ＤＰＣＨを用いたＨＳＤＰＡ通信を行っている場合には、移動局ＵＥの通信状態を「ＣＥＬＬ_ＦＡＣＨ」状態に遷移させる方が、無線リソースの利用効率の観点から望ましい。したがって、閾値１-Ｃには、有意の値を設定し、移動局ＵＥの通信チャネル構成を「ＣＥＬＬ_ＦＡＣＨ」状態の通信を行うための通信チャネル構成に遷移させ易いように運用することができる。
【００７０】
また、移動局ＵＥが、８２オクテットのＲＬＣ‐ＰＤＵサイズ及びＦ-ＤＰＣＨを用いたＨＳＤＰＡ通信を行っている場合には、無線リソースの利用効率が良いことから、移動局ＵＥの通信状態を「ＣＥＬＬ_ＦＡＣＨ」状態に遷移させる必要性は低く、且つ、ＲＬＣ‐ＰＤＵサイズを８２オクテットから４２オクテットに切り替えることでデータロスが発生することから、サービス性の観点からは、移動局ＵＥの通信状態を「ＣＥＬＬ_ＦＡＣＨ」状態に遷移させない方が望ましい。したがって、閾値１-Ｂには、移動通信システム上の下限値を設定し、移動局ＵＥの通信チャネル構成を「ＣＥＬＬ_ＦＡＣＨ」状態の通信を行うための通信チャネル構成に遷移させ難いように運用することができる。
【００７１】
さらに、移動局ＵＥが、８２オクテットのＲＬＣ‐ＰＤＵサイズ及びＡ-ＤＰＣＨを用いたＨＳＤＰＡ通信を行っている場合には、移動局ＵＥの通信状態を「ＣＥＬＬ_ＦＡＣＨ」状態に遷移させる方が、無線リソースの利用効率が良いが、ＲＬＣ‐ＰＤＵサイズを８２オクテットから４２オクテットに切り替えることでデータロスが発生する。
【００７２】
したがって、データロスによるサービス性の低下を許容するのであれば、閾値１-Ａに有意な値を設定し、データロスによるサービス性の低下が許容できないのであれば、無線リソースの利用効率が低下するものの、閾値１-Ａには移動通信システム上の下限値を設定するように運用することができる。
【００７３】
（変更例１）
本変更例では、閾値保持部１１は、図７に示すように、通信チャネル構成と少なくとも１つの閾値（図７の例では、閾値１〜４）とを関連付けて保持するように構成されている。
【００７４】
図７の例では、閾値１は、上述のデータ流量についての閾値であり、閾値２は、無線リソース利用率（ＣＣ使用率等）についての閾値であり、閾値３は、閾値判定部１４によって既に行われた判定回数Ｘについての閾値であり、閾値４は、上述のタイマ値についての閾値である。
【００７５】
ここで、無線リソースは、ＣＣだけではなく、無線基地局０１からの下り送信電力や無線制御装置０３内リソースであってもよい。
【００７６】
また、閾値判定部１４は、閾値抽出部１３によって抽出された閾値１とデータ流量とを比較することによって、移動局ＵＥの通信チャネル構成を変更するか否かについて判定するように構成されていてもよい。
【００７７】
かかる場合、移動局ＵＥが、ＨＳＤＰＡ通信又は「ＣＥＬＬ_ＤＣＨ」状態の通信を行っている場合に、データ流量が、閾値１を下回っている場合には、閾値判定部１４は、移動局ＵＥの通信チャネル構成を「ＣＥＬＬ_ＦＡＣＨ」状態の通信を行うための通信チャネル構成に変更すべきであると判定するように構成されていてもよい。
【００７８】
また、閾値判定部１４は、抽出された閾値２と無線リソース使用率（ＣＣ使用率等）とを比較することによって、移動局ＵＥの通信チャネル構成を変更するか否かについて判定するように構成されていてもよい。
【００７９】
かかる場合、移動局ＵＥが、ＨＳＤＰＡ通信又は「ＣＥＬＬ_ＤＣＨ」状態の通信を行っている場合に、無線リソース使用率が、閾値２を下回っている場合には、閾値判定部１４は、移動局ＵＥの通信チャネル構成を「ＣＥＬＬ_ＦＡＣＨ」状態の通信を行うための通信チャネル構成に変更すべきであると判定するように構成されていてもよい。
【００８０】
また、閾値判定部１４は、抽出された閾値３と既に行った判定回数とを比較することによって、移動局ＵＥの通信チャネル構成を変更するか否かについて判定するように構成されていてもよい。
【００８１】
かかる場合、移動局ＵＥが、ＨＳＤＰＡ通信又は「ＣＥＬＬ_ＤＣＨ」状態の通信を行っている場合に、判定回数Ｘが、閾値３を下回っている場合には、閾値判定部１４は、移動局ＵＥの通信チャネル構成を「ＣＥＬＬ_ＦＡＣＨ」状態の通信を行うための通信チャネル構成に変更すべきであると判定するように構成されていてもよい。
【００８２】
また、閾値判定部１４は、抽出された閾値４とタイマ値とを比較することによって、移動局ＵＥの通信チャネル構成を変更するか否かについて判定するように構成されていてもよい。
【００８３】
かかる場合、移動局ＵＥが、ＨＳＤＰＡ通信又は「ＣＥＬＬ_ＤＣＨ」状態の通信を行っている場合に、タイマ値（タイマ満了までの残り時間）が、閾値４を下回っている場合には、閾値判定部１４は、移動局ＵＥの通信チャネル構成を「ＣＥＬＬ_ＦＡＣＨ」状態の通信を行うための通信チャネル構成に変更すべきであると判定するように構成されていてもよい。
【００８４】
なお、閾値判定部１４が、上述の閾値１〜４を用いた判定の全てにおいて、移動局ＵＥの通信チャネル構成を「ＣＥＬＬ_ＦＡＣＨ」状態の通信を行うための通信チャネル構成に変更すべきであると判定した場合に、通信チャネル構成切替部１５は、移動局ＵＥの通信チャネル構成を「ＣＥＬＬ_ＦＡＣＨ」状態の通信を行うための通信チャネル構成に切り替えるように構成されていてもよい。
【００８５】
或いは、閾値判定部１４が、上述の閾値１〜４を用いた判定の少なくとも１つにおいて、移動局ＵＥの通信チャネル構成を「ＣＥＬＬ_ＦＡＣＨ」状態の通信を行うための通信チャネル構成に変更すべきであると判定した場合に、通信チャネル構成切替部１５は、移動局ＵＥの通信チャネル構成を「ＣＥＬＬ_ＦＡＣＨ」状態の通信を行うための通信チャネル構成に切り替えるように構成されていてもよい。
【００８６】
また、閾値判定部１４が、上述の閾値１〜４を用いた判定結果が所定条件を満たした場合に、通信チャネル構成切替部１５は、移動局ＵＥの通信チャネル構成を「ＣＥＬＬ_ＦＡＣＨ」状態の通信を行うための通信チャネル構成に切り替えるように構成されていてもよい。かかる所定条件は、外部インターフェイス等を介して設定可能である。
【００８７】
以上に述べた本実施形態の特徴は、以下のように表現されていてもよい。
【００８８】
本実施形態の第１の特徴は、無線制御装置０３であって、通信チャネル構成と少なくとも１つの閾値１〜４とを関連付けて保持するように構成されている閾値保持部１１と、移動局ＵＥの通信チャネル構成に関連付けられている少なくとも１つの閾値１〜４を抽出するように構成されている閾値抽出部１３と、所定タイミングで、抽出された閾値１〜４と通信状態とを比較することによって、移動局ＵＥの通信チャネル構成を変更するか否かについて判定するように構成されている閾値判定部１４とを具備することを要旨とする。
【００８９】
本実施形態の第１の特徴において、閾値判定部１４は、抽出された閾値１とデータ流量とを比較することによって、移動局ＵＥの通信チャネル構成を変更するか否かについて判定するように構成されていてもよい。
【００９０】
本実施形態の第１の特徴において、閾値判定部１４は、抽出された閾値２と無線リソース使用率（ＣＣ使用率）とを比較することによって、移動局ＵＥの通信チャネル構成を変更するか否かについて判定するように構成されていてもよい。
【００９１】
本実施形態の第１の特徴において、閾値判定部１４は、抽出された閾値３と既に行った判定回数とを比較することによって、移動局ＵＥの通信チャネル構成を変更するか否かについて判定するように構成されていてもよい。
【００９２】
本実施形態の第１の特徴において、閾値判定部１４は、抽出された閾値４とタイマ値とを比較することによって、移動局ＵＥの通信チャネル構成を変更するか否かについて判定するように構成されていてもよい。
【００９３】
本実施形態の第１の特徴において、閾値判定部１４は、移動局ＵＥによる通信開始時又は移動局ＵＥの通信チャネル構成の変更時に、移動局ＵＥの通信チャネル構成を変更するか否かについて判定するように構成されていてもよい。
【００９４】
本実施形態の第２の特徴は、移動通信方法であって、無線制御装置０３が、閾値保持部１１から、移動局ＵＥの通信チャネル構成に関連付けられている少なくとも１つの閾値１〜４を抽出する工程と、無線制御装置０３が、所定タイミングで、抽出された閾値１〜４と通信状態とを比較することによって、移動局ＵＥの通信チャネル構成を変更するか否かについて判定する工程と、かかる判定結果に応じて、移動局ＵＥの通信チャネル構成を変更する工程とを有することを要旨とする。
【００９５】
なお、上述の無線基地局０１や移動局ＵＥや無線制御装置０３の動作は、ハードウェアによって実施されてもよいし、プロセッサによって実行されるソフトウェアモジュールによって実施されてもよいし、両者の組み合わせによって実施されてもよい。
【００９６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局０１や移動局ＵＥや無線制御装置０３内に設けられていてもよい。また、かかる記憶媒体及びプロセッサは、ディスクリートコンポーネントとして無線基地局０１や移動局ＵＥや無線制御装置０３内に設けられていてもよい。
【００９８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2010087441.tif 000003
【図２】
2010087441.tif 000004
【図３】
2010087441.tif 000005
【図４】
2010087441.tif 000006
【図５】
2010087441.tif 000007
【図６】
2010087441.tif 000008
【図７】
2010087441.tif 000009
【国際調査報告】
2010087441.tif 000010
2010087441.tif 000011
2010087441.tif 000012